(57)【要約】  【課題】ＣＤの記録の破壊を行うことを高周波照射で行う場合に、そのＣＤの記録レーンに亀裂の枝或いは亀裂の網を、発臭や発熱発火なしに行うことを、照射条件の厳しさを楽にして、室内で簡便に行う。  【解決手段】ＣＤの情報記録を破壊するために高周波の照射を行う時、ＣＤを水に浸すか、ＣＤの表面に水を接触させて誘電加熱領域の波長の高周波の照射を行うもので、そのために、ＣＤを入れて水に浸せる容器を使用するか、或いは水を含んだ吸水性の物質をフィルムの内側に配置して、これをＣＤの表面に接触させた上で高周波の照射を行う。  【選択図】  図１
2005122788.tif 000002
【特許請求の範囲】
【請求項１】
情報記録媒体の表面に水を接触させた状態のもとで、高周波を照射することによって、情報記録媒体の記録層に亀裂を入れることを特徴とする、情報の記録を完全にかつ安全に破壊する方法。
【請求項２】
情報記録媒体を水に浸した状態のもとで、水中で高周波を照射することによって、情報記録媒体の記録層に亀裂を入れることを特徴とする、情報の記録を安全に破壊する方法。
【請求項３】
請求項１において、情報記録媒体を囲む水の厚さが一定になるごとくした容器に情報記録媒体を入れて、情報記録媒体の表面を水に接触させることを特徴とする方法。
【請求項４】
請求項１において、内部にほぼ平行な平面空間を持つ容器に情報記録媒体を入れて、情報記録媒体の表面を水に接触させることを特徴とする方法。
【請求項５】
請求項１において、吸水性のある物質により形成されたシートに水を吸収させ、これを情報記録媒体の記録層の面或いは両面に接触させて行うことを特徴とする方法。
【請求項６】
請求項１において、吸水性のある物質を内面に張ったプラスチックシートで袋を作ったものであり、これに水を入れて一定量吸水させ、これに情報記録媒体を入れてこれを水で挟んだ状態とすることを特徴とする方法。
【請求項７】
請求項１において、水分を含んだゲルあるいは水分を含んだ繊維をシートの内部に入れて密栓したもので、これを開封して情報記録媒体を入れることで、情報記録媒体と水を接触させた状態とすることができるごとくしたことを特徴とする方法。
【請求項８】
請求項１において、高周波照射部に水を散布或いは流すことを特徴とする連続処理の装置。
【発明の詳細な説明】
【技術分野】
【０００１】
本発明は、見かけは同心円であるが、詳しくは渦巻き状である記録レーンを持ったＣＤ−Ｒ、ＣＤ−ＲＷ、ＤＶＤなど、ポリカーボネートなどの透明材料を基材にしていて、金属薄膜や、有機色素上に金属の膜が形成されたものや、アモルファス金属などの薄膜を使用した情報記録媒体（以下これらをＣＤという）を廃棄する際に、その情報が外部に漏洩する危険を皆無にするために、情報記録薄膜に電流を通すことで、ＣＤの記録媒体部分を完全に破壊する技術であり、その方法として水と高周波を使用し、発臭もなく、完全な記録の破壊が安全に行われる技術に関するものである。
【背景技術】
【０００２】
従来より、この情報の漏洩防止技術に対する技術の試みはあった。最も単純なものは、ＣＤを破砕しようというものであり、強力なシュレッダーで粉砕してしまうもの、またＣＤを割ろうとするもの、又表面にプレス傷をつけようと言うもの、高温のエンボスロールで情報記録部に高温による変形をあたえようとするもの、又さらに情報のレーンに穴を明けて読み取り不能にしようというものがあり、さらには高周波による誘導電流で破壊しようというものもあった。いずれもそれぞれ特徴の有る優れたものであり、情報記録破壊に関しては、それぞれに簡便性、確実性などの利点が多い。
【０００３】
また一方これに対して、不用意に破壊してしまったＣＤを復元する技術も発達し、この技術は同時に廃棄されたＣＤを読むことの技術ともなり、悪用される危険が大きくなっている。この技術はつけた傷は修復し、割られたものは集めて張り直して欠落部分はそのまま欠落部分として読み、穴を開けても同じく欠落部分を飛ばして読めるのである。このように破壊したつもりのＣＤの読み取りが可能になって来ていて、完全な破壊を簡単に行う技術への要望は高くなっている。
【０００４】
この点より考えると、これらの技術の中で最も有効な方法は、高周波により金属薄膜の情報記録層に誘導電流を流して網目状に発熱させる技術であるが、この方法を使用すると、高周波の照射時間の僅かな違いによって破壊の程度が大きく異なり、又ＣＤの種類や記録の状況によっても同じ時間の高周波照射でも破壊の程度が著しく異なる現象が起き、この破壊の進み方が予測不能であるという問題がある。
【０００５】
このため、照射時間を一定にしても破壊不足の場合と過剰破壊の場合が起き、適当な照射時間を正確に定めることが困難である。またその破壊の発生と同時に出る火花を検知して照射を止めることは可能であるが、装置が高価になり、また破壊の発生より出る火花を検知して、これの広がるのを止める方法であるので、その始めの火花で僅かながら発生する発臭を止めることが出来ない。又もし過剰破壊に至ると、ひどい発臭が起き、大きく火花がちり、甚だしくは着火して危険である。
【０００６】
そこで照射時間を一定にしても各種のＣＤの記録破壊が安全確実に行え、なお発臭がなく、照射時間が不正確でも発臭や発火が無く完全に記録の破壊が行われる技術が求められていた。
【特許文献１】特開平９−２９３３４８                  特開平１０−２１４４２４                  特開平１０−１７２１４８                  特開２００２−３１２９４５                  特開２００２−３０４７３７
【発明の開示】
【発明が解決しようとする課題】
【０００７】
解決しようとする問題点は、各種のＣＤ破壊方法の中における高周波利用の方法において、各種のＣＤが持つ性質の違いに対しても、また照射時間の不正確に対しても適応して、安全に発臭が無く、なお確実にＣＤの記録を破壊する点である。
【課題を解決するための手段】
【０００８】
本発明は、従来の発明のごとく複雑な装置である必要はなく、通常の家庭や事務所にある高周波による加熱装置である電子レンジを使用して、それにより破壊が確実に行われる。この電子レンジは他の用途と共用して利用することもでき、量産の通常品であるので器具が安価であり、取り扱いが便であり、発臭が無く、安全に作業が行える。このことを最も主要な特徴とする。
【０００９】
その方法はＣＤを水の中に浸し、あるいは水に接触させた状態にして高周波を照射しようというもので、水を利用するという着眼により、高周波を使いなお安全で確実であるという課題を解決したものである。
【００１０】
すなわちＣＤを水中に入れて家庭用電子レンジの中で高周波を照射すると、水の加熱と平行して、あるとき水中で小さな火花が発生し、ＣＤの記録レーンに亀裂の枝或いは亀裂の網が入る。また水分を含んだ物質、例えば吸水性樹脂の薄いシート或いは水を含ませた紙や布を情報記録面に接触させ、或いはこのシート２枚で挟んで家庭用電子レンジの中で高周波を照射すると、同じく水分の発熱と共にＣＤの記録レーンに亀裂の枝或いは亀裂の網が入る。
【００１１】
また水分を含んだ粘着シート、例えば身体表面の冷却を目的とした湿布剤を代用としてＣＤの情報記録面に貼って、家庭用電子レンジの中で高周波を照射すると、ＣＤの記録レーンに亀裂の枝或いは亀裂の網が入る。さらにこの場合は過剰処理ではあるが粘着シートをはがすことで情報記録面がＣＤから剥がされる。
【００１２】
このように、ＣＤに水が接触している状態にして、ＣＤに高周波を照射することにより、水が過剰な高周波のエネルギーを適度に吸収した状態でＣＤ内に誘導電流を発生させて
、ＣＤの記録レーンに亀裂の枝或いは亀裂の網が入る。またこの場合ＣＤの火花の発熱を吸収して基材のポリカーボネート等を変質させることもなく、過剰に照射した場合も水の存在で１００度Ｃを超えることがない。
【００１３】
恐らく温度上昇に伴って電気抵抗が小さくなり流れる電流が多くなるからと考えられる。瞬発的に発熱が大きくなって発臭や発火になるのを水の存在が押さえてくれるものと思われる。このように、水を使わない時に起きる、或る時間経過後に突然瞬発的に発生する過剰な発熱を抑制し、高周波の照射時間の変動と、ＣＤの種類、記録の状況とあまり関係なく、一定の必要な破壊が行われるのである。
【発明の効果】
【００１４】
本発明による水をＣＤに接触させる容器を使って水にＣＤを浸し、或いは水をＣＤに接触させるシートにより  ＣＤの表面に水を介在させり方法は、５００Ｗほどの家庭でも使われる誘電加熱の高周波加熱装置、即ち電子レンジを室内で使用するのに適する。
【００１５】
高周波を大きく分けると、３〜３０００ｋＨｚの誘導加熱と３ＭＨｚ〜３０ＧＨｚの誘電加熱と分かれる。金属の加熱には前者が使われ、水を含む物質には後者が使われ、後者は金属の加熱には不向きとされていた。
【００１６】
しかし２４５０ＭＨｚの家庭用の電子レンジでＣＤを加熱してみると、数秒後の瞬時に火花が散ってＣＤの記録レーンに亀裂の枝或いは亀裂の網が入ってＣＤの記録を破壊するが、そのスイッチオフが少し遅れると、発熱、発臭、発火、と通常の人が生活する室内では被害が大きくて使えない現象が起きる。しかしそのＣＤの記録の破壊はいかなる方法でも読み取り不能に完全である。
【００１７】
この数秒と述べた数値は、ＣＤの種類、記録などの状況により異なり、火花が散る前に照射を停止させた場合は全く無傷であり、予測不能の或る短い時間を経過すると、突然火花が散って、その破壊は急激に進む。
【００１８】
一方、ＣＤを水中に置く、或いは水に接触させて高周波の照射を行うと、このＣＤの記録レーンに亀裂の枝或いは亀裂の網が入る時間が数秒から１０数秒に延長され、また照射時間を長くしても、亀裂の枝或いは亀裂の網は発達するが、発臭と発火に至らない。
【００１９】
この状況を示したのが、図１である。ここでは縦軸は破壊の状況を示す。即ちレベル１を一部に亀裂が入った状況、レベル２を全巾に亀裂が入った状況、レベル３を全面に亀裂が入った状況、レベル４を全面の亀裂が密になった状況、レベル５を亀裂の巾が広くなり発臭が有る状況、レベル６を一時的に発火する状況、レベル７を着火する状況、レベル８を燃焼して本体が融ける状況とする。
【００２０】
水を使わない場合はほぼ曲線ａの如き関係で、短時間に亀裂、発臭、発火にいたり、その時間との関係が予測不能で、短く異なるのに対し、水に浸した場合は曲線ｂ及びｃの如く変化がゆるやかであるばかりでなく、発臭が発生するレベル５には水が沸騰して無くならない限り届かず、全面の亀裂が密になるのみの状況のレベル４を越えないのである。
【００２１】
ここの曲線ｂは、水の厚さが２ｍｍの場合、曲線ｃは水の厚さが４ｍｍの場合である。
【００２２】
すなわち高周波の利用において、水中で、或いは水に接した状態でＣＤに高周波の照射をすると、高周波照射時間と緩慢な関係で亀裂の制御と発熱発臭の制御が行われつつ、ＣＤの記録レーンに亀裂の枝或いは亀裂の網が入って、ＣＤの記録が破壊されるという素晴らしい効果が現れるので、これを実用化したものであり、ＣＤに水が接触した状態で高周波の照射をすることを最も主要な特徴とする。
【００２３】
なおこの発明は、家庭用の電子レンジにかぎらず、業務用の大型の電子レンジ或いは水散布装置を備えた専用の高周波加熱装置にも使用できるものである。また高周波照射時間の延長或いは出力の増加は必要なものの、複数枚を同時に破壊することにも適する。
【００２４】
本発明の水中にＣＤを入れて高周波を照射する容器である装置、或いはＣＤの面に密着してくれる性質の水を含んだ物質を内面に貼付したシート或いは袋を使用して、これに入れたＣＤに高周波を照射するのであり、これによりあらかじめ定めた概略の時間により、個々のＣＤへの正確な時間のコントロールなしに各種のＣＤの記録レーンに、発臭の無い範囲で安全に亀裂の枝或いは亀裂の網をいれることができるもので、これによりＣＤの記録を簡単に且つ安全に破壊できることを最も主要な特徴とする。
【発明を実施するための最良の形態】
【００２５】
高周波の照射でＣＤの記録を破壊することを、易しく安全に行うという目的を、ＣＤの記録レーンのある表面に水を接触させるか、或はＣＤを水中に浸すかして高周波照射を行うことで実現した。
【実施例１】
【００２６】
図２は水中に浸して電子レンジで加熱した時の器具の実施例である。この実施例では平行にスリット状にアクリル板を重ねて容器を作り、またこのスリットの幅を変えた容器を作って水の厚さを変え、高周波の照射時間を変えた。
【００２７】
図２の装置において、空隙ｄの厚さは３ｍｍと５ｍｍの２種類とした。ＣＤの厚さは約１ｍｍであるので、水の厚さは各々２ｍｍと４ｍｍとなる。この空隙ｄにＣＤｅを入れ、水を水位の印ｆまで入れて４５度の角度で電子レンジに入れ、高周波を照射した。使用した電子レンジの出力は５００ｗである。この結果を纏めたものが図１の曲線ｂ及びｃである。
【００２８】
比較のために、この容器に入れずに水との接触が無い状況も作って高周波の照射を行い、またＣＤの種類を変えて、この現象を追い、あらゆる場合に適合する条件を把握した。その結果を纏めて図１に曲線ａとして加えた。
【００２９】
図１で示すように、ＣＤの記録レーンに亀裂の枝或いは亀裂の網が入るに要する時間は、水の厚さと関係する。従って水の厚さが一定になるように方法をこらすことは、破壊を安定させるためには重要である。
【００３０】
ここで図１の説明をする。この図１は横軸を時間とし、縦軸を破壊の状況として、各種の条件によって起きた状況を纏めてグラフ化したものである。このグラフで解る通り、水の無い場合のＣＤの記録レーンに亀裂の枝或いは亀裂の網が入る状況は、短時間に発生し、その制御が難しく、短い時間で発臭、発火に至る。
【００３１】
図１の曲線ｃは空隙５ｍｍで水の厚さが４ｍｍの場合、曲線ｂは空隙３ｍｍで水の厚さが２ｍｍの場合、曲線ａはこの器具を使わず、水との接触がない状況で、高周波の照射を行った例の平均的な形状である。
【００３２】
曲線ｂも曲線ｃも、そのＣＤ破壊への時間の違いがあるものの、３〜４０秒の広い時間巾の中でＣＤの記録レーンに適切な亀裂の枝或いは亀裂の網が入り、読み取りテストにおいても完全な記録の破壊が行われている。また特筆すべきことは、時間が長くなっても水の温度は上がるものの、レベル４を越えず、発臭、発火などの異常は発生しないことである。
【００３３】
曲線ａは、水との接触を行わずに高周波の照射を行ったものであり、グラフの形状に見られるごとく、短い時間内に発臭、発火などのレベルに急激に達する。この正確な時間は予測不能であり、レベル２〜レベル４の間で高周波の発信を手動で停止させることはその時間が短い故に非常に困難である。即ち、発臭或いは発火を避けることが困難であり、家庭内、或いは事務所内で使用することは到底行い得ない。
【００３４】
これに対して水が接触している場合は、ＣＤの記録レーンに亀裂の枝或いは亀裂の網が入る変化が穏やかであり、レベル４を超えず、レベル５の発臭に至る線には至らない。時間とともに水も加熱されるが、これが沸騰して水が減少するまで、この線は越えない。ちなみにこのグラフにおける５ｍｍ厚さにおける４０秒で水の温度上昇は３０度Ｃであり、沸騰に至るよりかなり短い時間でＣＤの破壊は行われる。
【００３５】
以下、図１と図５〜図１４によりＣＤ破壊の現象の説明を行う。
【００３６】
図５は図１に於けるレベル１の記録レーンに入った亀裂の枝或いは亀裂の網が入った状況を透過光で写したＣＤの一部の拡大写真であり、亀裂はわずかである。
【００３７】
図６はレベル２の状況を透過光で写したＣＤの一部の写真であり、亀裂はほぼ全面に広がっていて、記録の破壊は完全に終わっている。
【００３８】
図７はレベル３の状況を透過光で写したＣＤの一部の写真であり、亀裂の密度が高くなっている。図８はレベル４の状況を透過光で写したＣＤの一部の写真、図９はその部分拡大図である。
【００３９】
この４つの状況を比較した場合、亀裂の巾の変わらないことは注目に値する。レベル２の場合、水の温度は１０度程上昇する、レベル３の場合水の温度は２０度ほど上昇する。さらに破壊を完全に行おうとさらに加熱した場合レベル４となり、水温は上昇し容器厚さ５ｍｍで４０秒の場合３０度ほど上昇するが、ここまでの高周波照射を行う場合はまれである。
【００４０】
図１０はレベル５の状況を透過光で写したＣＤの一部の写真であるが、ここにいたって急激に亀裂の巾が広がっていることが解る。
【００４１】
図１１はレベル６の状況を透過光で写したＣＤの一部の写真、図１２はレベル７の状況を透過光で写したＣＤの一部の写真であるが、透過光であるためその発火の痕跡が解りにくいため、その部分を拡大して図１３に示した。変形した黒い部分は炭化の跡である。
【００４２】
図１４はレベル８の状況を透過光で写したＣＤの一部の拡大写真である。
【００４３】
ＣＤ−Ｒの場合でも、記録の入り方で破壊の形状が異なる場合がある。図１５はその一例である。またＣＤ−ＲＷにおいては亀裂の枝の形状が異なりその形状は図１６の如くである。またＤＶＤにおいても亀裂の形状が異なり図１７にそれを示す。しかし何れの場合も高周波照射時間と現象は図１の曲線に近い位置にある。
【００４４】
この水を使用する方法は、家庭内或いは事務所内での通常の電子レンジでのＣＤ破壊に限らず、業務用に大量に同時破壊する時にも有効である。本実施例においても２枚或いは３枚を同時に処理したとき、処理時間を長くすることでほぼ同等のＣＤ破壊の結果を得ることが出来た。大量処理の場合は水中に浸してＣＤを移動さすのも良く、或いはコンベアー上で移動するＣＤの上から水をのシャワーするのもよい。
【実施例２】
【００４５】
図３はＣＤを水平に置く方法として使用した器具であり、これにより行った破壊の状況も、水の厚さとの関係で図１で示す内容と同じであったが、さらに好ましい効果として、ＣＤの出し入れの取り扱いにおいて便利であった。ｇはＣＤを浮かなくするための重しである、ｈは水の厚さを一定にするための排出口である。
【実施例３】
【００４６】
通常の薄い皿に定量の水をはって、これにＣＤを入れて浮かばないように小さい皿を乗せて高周波の照射を行っても同様の効果が得られる。しかしこの場合は適当な皿の形状と水の量を決めるのが難しいという欠点がある。不安定を承知で少量のＣＤ破壊処理を行う場合は、この方法でもＣＤの記録レーンに亀裂の枝或いは亀裂の網を入れることはできる。
【実施例４】
【００４７】
以降の実施例は、実施例１から３とは異なり、水に浸さずに水に接触させるのみでＣＤの記録レーンに亀裂の枝或いは亀裂の網が入れようとするものである。図４は本発明の一実施例の断面図であって、耐水性の袋の両内面に空隙の多い吸水性の紙ｊを配し、水を入れて吸水させ、この袋にＣＤを入れて、水の面をＣＤの記録面に貼り、電子レンジで加熱した、この時の電子レンジの出力は５００ｗであり、ＣＤの両面の置いた吸水性物質の厚さは２ｍｍ、照射時間は１０秒であったが、ＣＤの記録レーンに亀裂の枝或いは亀裂の網が入り、記録は完全に破壊されていた。発臭は無かった。
【実施例５】
【００４８】
水分を含む貼付材として、粘着性のある吸水性樹脂を使用する。これに代えて身体表面に貼る冷却用の湿布材を使用して、これをＣＤの不透明な側、即ち情報記録材のある面（情報記録面）に貼って、これを電子レンジで加熱した、この時の電子レンジの出力は５００ｗであり、照射時間は５秒であったが、発臭の無い状況で、ＣＤの透明な面から見ると記録レーンに亀裂の枝或いは亀裂の網が入った。記録は完全に破壊されていた。
【００４９】
この湿布材をはがしたところ、情報記録面がそっくりはがされて粘着性質のある貼付材に接着していた。これは過剰処理とも考えられるが、すなわち記録は完全に破壊されていた。発臭は無かった。
【実施例６】
【００５０】
さらに、不安定さを承知で行うのなら、ティッシュペーパー１０枚を２組用意し、これを水に濡らして水を含ませ、これでＣＤを挟んで電子レンジに入れて、高周波の照射を行っても、同じ現象は起きる。しかし水の適量と適当な高周波の照射時間とを掴むのが難しいという欠点がある。
【産業上の利用可能性】
【００５１】
ＣＤの記録の破壊を高周波で行う場合に、水の存在が非常に有効に働くこと、またその量の安定が、破壊処理の状況を安定さすことに有効であることは、家庭用の電子レンジを活用する場合のＣＤを入れる処理器具に生かされるのみでなく、大量処理の高周波照射装置において、安全と処理の安定と臭いの無い作業環境を求める場合も適用される。
【図面の簡単な説明】
【００５２】
【図１】高周波照射時間とＣＤ破壊の程度の関係を示したグラフ
【図２】ＣＤを水に浸して破壊を行う器具の一例（実施例１）
【図３】ＣＤを水に浸して破壊を行う器具の一例（実施例２）
【図４】ＣＤに水を接触させる袋の一例（実施例４）
【図５】一部に亀裂が入ったＣＤの拡大透過写真
【図６】全巾に亀裂が入ったＣＤの透過写真
【図７】全面に亀裂が入ったＣＤの透過写真
【図８】全面の亀裂がさらに密に入ったＣＤの透過写真
【図９】全面の亀裂がさらに密に入ったＣＤの拡大透過写真
【図１０】亀裂の巾が広くなり発臭に至ったＣＤの透過写真
【図１１】１時的に発火するＣＤの透過写真
【図１２】着火したＣＤの透過写真
【図１３】着火したＣＤの着火部の拡大透過写真
【図１４】着火して融けたＣＤの透過写真
【図１５】記録の入り方で亀裂の形が変わった例の透過写真
【図１６】ＣＤ−ＲＷの例の透過写真
【図１７】ＤＶＤの例の透過写真
【符号の説明】
【００５３】
ａ  水との接触がない時の破壊曲線
ｂ  水の厚さ２ｍｍで水に浸した時の破壊曲線
ｃ  水の厚さ４ｍｍで水に浸した時の破壊曲線
ｄ  ＣＤと水を入れる空隙
ｅ  ＣＤ
ｆ  水位の印
ｇ  重し
ｈ  排出口
ｉ  フィルム
ｊ  吸水性の紙
【図１】
2005122788.tif 000003
【図２】
2005122788.tif 000004
【図３】
2005122788.tif 000005
【図４】
2005122788.tif 000006
【図５】
2005122788.tif 000007
【図６】
2005122788.tif 000008
【図７】
2005122788.tif 000009
【図８】
2005122788.tif 000010
【図９】
2005122788.tif 000011
【図１０】
2005122788.tif 000012
【図１１】
2005122788.tif 000013
【図１２】
2005122788.tif 000014
【図１３】
2005122788.tif 000015
【図１４】
2005122788.tif 000016
【図１５】
2005122788.tif 000017
【図１６】
2005122788.tif 000018
【図１７】
2005122788.tif 000019